(57)【要約】【課題】着座を検知するためのセンサを設けても異物感が全くなく、しかも、製造が容易な着座センサ付き座席を提供する。【解決手段】パッド１の底面から穴５が上方に向って設けられ、この穴５内にセンサ２が設けられている。穴５を塞ぐようにスラブ６が該穴５内に充填されている。スラブ６はパッド１と同様の軟質体よりなる。穴５の入口側を狭めることにより、スラブ６の脱落が防止されている。【選択図】図１
2004105772.tif 000002
【特許請求の範囲】
【請求項１】
　軟質なパッドと、該パッドに座った人体を検知するための感圧式のシート状センサとを有する着座センサ付き座席において、該パッドの内部に該センサを設置したことを特徴とする着座センサ付き座席。
【請求項２】
　請求項１において、前記パッドの側面からパッドの中央部に向ってセンサ挿入用のスリットが設けられ、該スリットに前記センサが挿入されていることを特徴とする着座センサ付き座席。
【請求項３】
　請求項１において、前記パッドの底面から上方に向って穴が設けられると共に、該穴に軟質体が挿入されており、該軟質体の上面部分に前記センサが設置されていることを特徴とする着座センサ付き座席。
【請求項４】
　請求項３において、前記穴は下端が狭くなっており、これによって前記軟質体が該穴内に保持されていることを特徴とする着座センサ付き座席。
【発明の詳細な説明】
【技術分野】
【０００１】
　本発明は、人員が座ったことを検知するシート状のセンサを備えた座席に関するものである。
【背景技術】
【０００２】
　アシスタント用エアバッグの誤動作防止等のために座席の上面にセンサを設けることがある。図５、６はこの従来例を示す断面図であり、パッド１の上面にセンサ２を糊付けしている。異物感対策のために、図５では該センサ２を覆うように約５ｍｍ厚のスラブ３を貼り付けており、図６では約５ｍｍ厚のフレームラミネートを施している。
【発明の開示】
【発明が解決しようとする課題】
【０００３】
　上記のようにセンサ２を貼り付け、該センサ２を覆うようにスラブ３を貼り付けたりフレームラミネート４を施す従来技術にあっては、貼り工数が多い、あるいはラミネートコストが嵩むなどの短所があった。
【０００４】
　本発明は、かかる短所を改善し、製造が容易でしかもセンサの異物感もほぼ完全に解消される着座センサ付き座席を提供することを目的とする。
【課題を解決するための手段】
【０００５】
　本発明の着座センサ付き座席は、軟質なパッドと、該パッドに座った人体を検知するための感圧式のシート状センサとを有する着座センサ付き座席において、該パッドの内部に該センサを設置したことを特徴とするものである。
【０００６】
　かかる着座センサ付き座席にあっては、センサがパッドの内部に配置されているため、センサによる異物感が殆ど無く、しかもセンサを覆うためのスラブ貼り付けやラミネートが不要であり、製造が容易で製造コストも廉価となる。
【０００７】
　なお、本発明の一形態においては、パッドの側面（前後及び左右の側面のうちのいずれでも良い。）からパッドの中央部に向ってセンサ挿入用のスリットが設けられ、該スリットに前記センサが挿入されている。
【０００８】
　本発明の別の一形態においては、パッドの底面から上方に向って穴が設けられると共に、該穴に軟質体が挿入されており、該軟質体の上面部分に前記センサが設置されている。この場合、穴の下端を狭くし、これによって軟質体が穴から脱落しないよう保持する構成としても良い。
【発明の効果】
【０００９】
　本発明の着座センサ付き座席によると、パッドがスラブの内部に配置されているため、該センサの上方のパッド上面に腰をかけても、異物感は全く感じられない。また、このセンサを覆うためのスラブやラミネートをパッド上面に施すことが不要であり、この着座センサ付き座席の製造が容易であると共に、製造コストも極めて低いものとなる。
【発明を実施するための最良の形態】
【００１０】
　以下、図面を参照して本発明の実施の形態について説明する。
【００１１】
　図１は本発明の一実施の形態に係る着座センサ付き座席の断面図であり、（ａ）図は座席の前後方向の断面図、（ｂ）図は（ａ）図のＢ−Ｂ線に沿う断面図、（ｃ）図は分解構成図である。
【００１２】
　この実施の形態にあっては、パッド１の底面に、上方に向う穴５が設けられ、この穴５の天井面部分にセンサ２が設けられている。この穴５にパッド１と同材質の軟質材料よりなるスラブ（モールドされた軟質ウレタンフォームであっても良い。）６が充填されている。なお、センサ２はこの穴５の天井面部分に接合されていても良く、スラブ６の上面に接合されていても良い。ただし、図１（ｃ）の如く、センサ２を予め穴５の天井面部分に取り付けておき、該センサ２に連なるリード線２ａの後端の端子２ｂをパッド１の後端面に突出させておくのが好ましい。
【００１３】
　なお、この実施の形態にあっては、穴５は下端側が窄まる形状となっており、この穴５に挿入されたスラブ６が穴５内に保持され、該穴５から脱落しないよう構成されている。
【００１４】
　図２は本発明の別の実施の形態を示すものであり、（ａ）図は穴５として、入口に突起５ａを設け、スラブ６の下端周縁部を該突起５ａに係止させることによりスラブ６の脱落を防止するように構成したものである。図２（ｂ）は、穴５よりも若干大きめのスラブ６を用い、該スラブ６が穴５に弾性的に縮小した状態にて押し込まれることにより、該スラブ６の脱落が防止されるよう構成したものである。
【００１５】
　図３（ａ）は本発明のさらに別の実施の形態に係る着座センサ付き座席の断面図、（ｂ）図はその分解構成図である。この実施の形態にあっては、パッド１の後端面から前方に向ってスリット７が設けられ、このスリット７内にセンサ２が挿入されている。この場合、スリット７は略水平方向に設けられているから、このスリット７を閉鎖しなくてもセンサ２がスリット７から脱落することはない。ただし、薄いシート状のスラブを該スリット７内に押し込んでセンサ２の抜け出しを防止するようにしても良い。
【００１６】
　なお、図３の実施の形態にあっては、図４に示すように、パッド１の全体をカバー８でくるむようにしても良い。
【００１７】
　本発明において、パッド１の材質としては、従来と同様にウレタンフォーム、熱可塑性プラスチック繊維材（例えばポリプロピレン、ポリエチレン、ポリスチレンなど）等を用いることができる。図４のカバー８としては、本皮、塩化ビニル、モケット等を用いることができる。センサ２としては、従来と同様の圧力により電気抵抗が変わる感圧式のセンサやストレインゲージを用いたもの等を採用することができる。
【００１８】
　なお、図３の実施の形態にあってはスリット７をパッド１の後端部から前方に向って設けているが、図４のようにカバー８でパッド１を覆う場合には、このスリット７はパッド１の前端面や側端面からパッド１の中央に向って設けられても良い。
【図面の簡単な説明】
【００１９】
【図１】実施の形態に係る着座センサ付き座席の断面図である。
【図２】別の実施の形態に係る着座センサ付き座席の断面図である。
【図３】さらに別の実施の形態に係る着座センサ付き座席の断面図である。
【図４】異なる実施の形態に係る着座センサ付き座席の構成図である。
【図５】従来例を示す断面図である。
【図６】別の従来例を示す断面図である。
【符号の説明】
【００２０】
　１　パッド
　２　センサ
　３　スラブ
　４　ラミネート
　５　穴
　６　スラブ
　７　スリット
　８　カバー
【図１】
2004105772.tif 000003
【図２】
2004105772.tif 000004
【図３】
2004105772.tif 000005
【図４】
2004105772.tif 000006
【図５】
2004105772.tif 000007
【図６】
2004105772.tif 000008
【手続補正書】
【提出日】平成16年1月22日(2004.1.22)
【手続補正１】
【補正対象書類名】特許請求の範囲
【補正対象項目名】全文
【補正方法】変更
【補正の内容】
【特許請求の範囲】
【請求項１】
　軟質なパッドと、該パッドに座った人体を検知するための感圧式のシート状センサとを有する着座センサ付き座席において、前記パッドの後方又は前方の側面からパッドの中央部に向ってセンサ挿入用のスリットが設けられ、該スリットに前記センサが挿入されていることを特徴とする着座センサ付き座席。
【請求項２】
　請求項１において、前記センサに連なるリード線に端子が設けられ、該端子がパッドの端面から突出していることを特徴とする着座センサ付き座席。
【請求項３】
　パッドに座った人体を検知するための感圧式のシート状センサが設置される、着座センサ付き座席用の軟質パッドにおいて、前記パッドの後方の側面もしくは前方の側面からパッドの中央部に向かってセンサ挿入用のスリットが設けられていることを特徴とする軟質パッド。
【手続補正２】
【補正対象書類名】明細書
【補正対象項目名】全文
【補正方法】変更
【補正の内容】
【発明の詳細な説明】
【技術分野】
【０００１】
　本発明は、人員が座ったことを検知するシート状のセンサを備えた座席及びそのための軟質パッドに関するものである。
【背景技術】
【０００２】
　アシスタント用エアバッグの誤動作防止等のために座席の上面にセンサを設けることがある。図３，４はこの従来例を示す断面図であり、パッド１の上面にセンサ２を糊付けしている。異物感対策のために、図５では該センサ２を覆うように約５ｍｍ厚のスラブ３を貼り付けており、図６では約５ｍｍ厚のフレームラミネートを施している。
【発明の開示】
【発明が解決しようとする課題】
【０００３】
　上記のようにセンサ２を貼り付け、該センサ２を覆うようにスラブ３を貼り付けたりフレームラミネート４を施す従来技術にあっては、貼り工数が多い、あるいはラミネートコストが嵩むなどの短所があった。
【０００４】
　本発明は、かかる短所を改善し、製造が容易でしかもセンサの異物感もほぼ完全に解消される着座センサ付き座席及びそのための軟質パッドを提供することを目的とする。
【課題を解決するための手段】
【０００５】
　本発明（請求項１）の着座センサ付き座席は、軟質なパッドと、該パッドに座った人体を検知するための感圧式のシート状センサとを有する着座センサ付き座席において、前記パッドの後方又は前方の側面からパッドの中央部に向ってセンサ挿入用のスリットが設けられ、該スリットに前記センサが挿入されていることを特徴とするものである。
【０００６】
　本発明（請求項２）の着座センサ付き座席は、請求項１において、前記センサに連なるリード線に端子が設けられ、該端子がパッドの端面から突出していることを特徴とするものである。
【０００７】
　本発明（請求項３）の軟質パッドは、パッドに座った人体を検知するための感圧式のシート状センサが設置される、着座センサ付き座席用の軟質パッドにおいて、前記パッドの後方の側面もしくは前方の側面からパッドの中央部に向かってセンサ挿入用のスリットが設けられていることを特徴とするものである。
【発明の効果】
【０００８】
　本発明の着座センサ付き座席及び軟質パッドによると、パッドがスラブの内部に配置されているため、該センサの上方のパッド上面に腰をかけても、異物感は全く感じられない。また、このセンサを覆うためのスラブやラミネートをパッド上面に施すことが不要であり、この着座センサ付き座席及び軟質パッドの製造が容易であると共に、製造コストも極めて低いものとなる。
【発明を実施するための最良の形態】
【０００９】
　以下、図面を参照して本発明の実施の形態について説明する。
【００１０】
　図１（ａ）は本発明の実施の形態に係る着座センサ付き座席の断面図、（ｂ）図はその分解構成図である。この実施の形態にあっては、パッド１の後端面から前方に向ってスリット７が設けられ、このスリット７内にセンサ２が挿入されている。この場合、スリット７は略水平方向に設けられているから、このスリット７を閉鎖しなくてもセンサ２がスリット７から脱落することはない。ただし、薄いシート状のスラブを該スリット７内に押し込んでセンサ２の抜け出しを防止するようにしても良い。
【００１１】
　なお、図１の実施の形態にあっては、図２に示すように、パッド１の全体をカバー８でくるむようにしても良い。
【００１２】
　本発明において、パッド１の材質としては、従来と同様にウレタンフォーム、熱可塑性プラスチック繊維材（例えばポリプロピレン、ポリエチレン、ポリスチレンなど）等を用いることができる。図２のカバー８としては、本皮、塩化ビニル、モケット等を用いることができる。センサ２としては、従来と同様の圧力により電気抵抗が変わる感圧式のセンサやストレインゲージを用いたもの等を採用することができる。
【００１３】
　なお、図１の実施の形態にあってはスリット７をパッド１の後端部から前方に向って設けているが、図２のようにカバー８でパッド１を覆う場合には、このスリット７はパッド１の前端面や側端面からパッド１の中央に向って設けられても良い。
【図面の簡単な説明】
【００１４】
【図１】実施の形態に係る着座センサ付き座席の断面図である。
【図２】異なる実施の形態に係る着座センサ付き座席の構成図である。
【図３】従来例を示す断面図である。
【図４】別の従来例を示す断面図である。
【符号の説明】
【００１５】
　１　パッド
　２　センサ
　３　スラブ
　４　ラミネート
　７　スリット
　８　カバー
【手続補正３】
【補正対象書類名】図面
【補正対象項目名】全図
【補正方法】変更
【補正の内容】
【図１】
2004105772.tif 000009
【図２】
2004105772.tif 000010
【図３】
2004105772.tif 000011
【図４】
2004105772.tif 000012